(57)【特許請求の範囲】
【請求項１】
第１枠体と、この第１枠体に嵌合する第２枠体と、これら両枠体間に挟持されると透光部材からなり、前記第１および第２の両枠体を貫通する採光部を設け、この採光部の光進路中に前記透光部材を設置してなり、前記第１枠体は基部とこれに一体に形成される凸部からなり、前記第２枠体の一面には前記凸部が嵌合するための嵌め合い部を形成するとともに前記凸部の端部には透光部材の保持部を設けて、透光部材が保持部に固着された前記凸部端に前記第２枠体を前記嵌め合い部を介して嵌合固着したことを特徴とする透光ブロック。
【請求項２】
請求項１において、第１および第２の両枠体を貫通する採光部は複数本設けたことを特徴とする透光ブロック。
【請求項３】
請求項１において、透光部材はガラス板で構成するとともに第１および第２の枠体はセラミック材で形成したことを特徴とする透光ブロック。
【請求項４】
請求項２において、透光部材はガラス板で構成するとともに第１および第２の枠体はセラミック材で形成したことを特徴とする透光ブロック。
【発明の詳細な説明】
【０００１】
【発明の属する技術分野】
本願発明は、建造物、構造物の壁面その他に広く使用できてギラツキのない採光性を確保できのみならず、空間における閉塞感を減少する透光ブロックに関するものである。
【０００２】
【従来の技術と発明が解決しようとする課題】
従来、建物の光壁として使用されている代表的なものにガラスブロックがある。  この従来のガラスブロックは、成形されたガラス材をブロックに組み合わせるのに高温加熱が必要となり、生産性が低くしたがって高価である。
さらに、成形組み立ての際に内部がほぼ真空状態になるため、ガラスを肉厚とする必要があり、結果的に重くなってしまうばかりか、強度上の制約があり多彩なデザインを施しえないという問題もあり、建造物等において使用できる場面が極めて限られてしまう。
さらに、従来のガラスブロックは、光が直接ガラスに入射するため反射光がギラつき建造物の意匠性を損ねる等の不都合が少なくない。
【０００３】
【課題を解決するための手段】
本願発明は、  第１枠体と、この第１枠体に嵌合する第２枠体と、これら両枠体間に挟持されると透光部材からなり、前記第１および第２の両枠体を貫通する採光部を設け、この採光部の光進路中に前記透光部材を設置してなり、前記第１枠体は基部とこれに一体に形成される凸部からなり、前記第２枠体の一面には前記凸部が嵌合するための嵌め合い部を形成するとともに前記凸部の端部には透光部材の保持部を設けて、透光部材が保持部に固着された前記凸部端に前記第２枠体を前記嵌め合い部を介して嵌合固着した構成を有する透光ブロックの提供により、上記従来の課題を解決しようとするものである。
【０００４】
また、上記の透光ブロックにおいて、第１および第２の両枠体を貫通する採光部は複数本設けることがある。
【０００５】
さらに、上記の透光ブロックにおいて、透光部材はガラス板で構成するとともに第１および第２の枠体はセラミック材で形成することがある。
【０００６】
【発明の実施形態】
以下、本願発明の実施形態を説明する。
図１は、発明の１実施形態に係る透光ブロックの分解斜視図である。図において、１は第１枠体であり、この第１枠体１は、方形状の基部１ｂとこれに一体に形成され基部１ｂよりサイズが一回り小さい方形状の凸部１ｂとから形成されている。２は、前記第１枠体１に嵌合する第２枠体である。４、５は、それぞれ第１枠体および第２枠体を貫通して形成される採光部であり、この実施形態では断面円形を有している。なお、前記採光部４、５は第１枠体１と第２枠体２とが嵌合連結されると連続して一体のものとなる。
【０００７】
図２は、図１における各部材の縦断面図である。上述のように第１枠体１は基部１ａとこれに一体に形成される凸部１ｂからなっていて、これらの中央部分に円筒形状の採光部４が水平に貫通している。そして、凸部１ｂの端部（図で右端）には透光部材３を収納する保持部６が穿設されている。この保持部６の外郭形状は透光部材３の形状に対応して円形、方形を選択することができ、該実施形態では透光部材３として方形のガラス板を使用している。このガラス板は、無色透明のもの、各種の色彩を有するもの、あるいはステンドグラス等種々のものに設定可能であり、透光ブロックの使用場面における設計上の要求に応じて適宜選択することになる。
【０００８】
第２枠体２も、前記第１枠体１の基部１ａに対応する方形をなしていて、その中央部分には前記採光部４と同様の円筒形状の採光部５が水平に貫通している。  そして、第２枠体２の一端面、すなわち第１枠体１に対向する面（図で左端）には嵌め合い部７が穿設されている。  この嵌め合い部７には前記凸部１ｂの端部が嵌合するようになっている。
【０００９】
第１枠体１、第２枠体２の材質としては、種々のものが可能であるが、該実施形態では生産性、耐候性、意匠性、建造物の他の部材との整合性等の見地からセラミック材で形成している。  すなわち、レンガ、タイルなどと同様に金型に陶土、磁器原料等を圧入して押し出し、所定長さに切断して原形を形成し、この原形を焼き締めることにより製造する。
【００１０】
図３は、図１、図２に示す部材の組み立てにより完成した透光ブロックＡの側面図である。  すなわち、図２において、第１枠体１の保持部６に透光部材３としてのガラス板を収納して接着剤で固着し、次いで第２枠体２の嵌め合い部７を接着剤により凸部１ｂの端部に嵌合固定して、図３に示す透光ブロックＡが完成する。これにより、図３に示すように、採光部４と採光部５とは両枠体１、２により挟持された透光部材３を介して連続し、一個の採光部が形成されることになる。
【００１１】
図４は、他の実施形態に係る透光ブロックの分解斜視図である。この実施形態では、採光部が４本形成され、その断面形状が方形となっているほかは、図１ないし図３に示す前記実施形態とその構成、材質、部材組み立て等は全く同一になっている。
すなわち、図４、図５において、４１、５１は、それぞれ第１枠体および第２枠体を貫通して形成される４本の採光部であり、この実施形態では各採光部は断面方形となっているが、意匠上あるいは成形上の見地から四隅を面取りした方形としてもなっている。
なお、前記採光部４１、５１は第１枠体１と第２枠体２とが嵌合連結されると連続して一体のものとなる。
【００１２】
図５は、図４における各部材の縦断面図である。図１および図２の場合と同様に、第１枠体１は基部１ａとこれに一体に形成される凸部１ｂからなっていて、これらの中央部分に方形状の採光部４１が４本水平に貫通している。そして、凸部１ｂの端部（図で右端）には透光部材３を収納する保持部６が穿設されている。  この保持部６の外郭形状は透光部材３の形状に対応して円形、方形を選択することができ、該実施形態では透光部材３として方形のガラス板を使用している。このガラス板は、無色透明のもの、各種の色彩を有するもの、あるいはステンドグラス等種々のものに設定可能であり、透光ブロックの使用場面における設計上の要求に応じて適宜選択できることも、前記実施形態と同様である。
【００１３】
図６は、図４および図５に示す実施形態に係る透光ブロックを建造物における区画壁に使用した例を示す一部切欠正面図である。
この使用例における区画壁は例えば玄関回りの外壁であるが、レンガ壁中に透光ブロックを散在させることにより、玄関ホ−ル周辺には柔らかい雰囲気が醸し出される。さて、図６において、８は積層されて壁面を構成するレンガであり、この壁面中に透光ブロックＡが陶板９とともに図示のように配設されている。
透光ブロックＡにおける透光部材としてのガラス板には、赤、濃緑、こげ茶等の深い色彩のもの、あるいはステンドグラス等を使用すれば、玄関ホ−ルの内外周辺には重厚、深遠ながら柔和な全く新しい感覚の意匠性を実現できる。
そして、このような効果を生じる重要なポイントは、透光部材が透光ブロックの表面に位置するのではなく、その有する採光部の中程に設けられることにある。  すなわち、透光部材が前記のような位置にあるため透光ブロックに映ずる光が従来のガラスブロックのように反射することがなく、ギラギラ感が解消され上品な開放感が実現できるのである。
【００１４】
図７は、透光ブロックＡを図６に示した場合と同様に使用した例を示している。ここに示す透光ブロックＡは、円筒状の採光部が４本形成されているが、基本的な構成、枠体の材質、透光部材の種類、各部材の組み立て等は前述の実施形態と全く同様である。
【００１５】
透光ブロックの使用例の若干は上述したが、このように建造物の構成要素としての使用に限られるものではなく、例えば数個の透光ブロックで外面を形成し、内部に光源を配置することにより、採光部の内奥から種々の色彩の透光部材を介して光りが照り映えることになり、まったく新しい概念の照明または装飾装置が可能となる。
透光ブロックにおける、枠体の材質は主としてセラミックが使用されることになるが、セラミック材としては陶器質、磁器質、土器質、せっ器質等、タイル、レンガなどに使用されている材質が好ましい。  また、透光部材も透光性を有するものであればよいが、耐火性、堅牢性その他の観点からガラス材の採用が現実的である。  また、透光ブロックの外形サイズは、一般的に使用されているタイル、レンガとの寸法整合性を考慮して設定することが望ましい。
さらに、採光部の断面形状も、種々のものを選択可能なことは言うまでもない。
【００１６】
【発明の効果】
本願発明は、以上説明した構成により、従来のガラスブロックの不都合を解消するばかりでなく、建造物、構造物に新たな機能性、意匠性を付与できる新規な素材を実現できる。  そして、製造コストも低廉で、軽量で使い勝手も良好であるから種々の用途に応用可能である。
【図面の簡単な説明】
【図１】発明の第１実施形態に係る透光ブロックの分解斜視図である。
【図２】図１における各部材の縦断面図である。
【図３】図１、図２に示す部材の組み立てにより完成した透光ブロックの側面図である。
【図４】第２実施形態に係る透光ブロックの分解斜視図である。
【図５】図４における各部材の縦断面図である。
【図６】図４および図５に示す実施形態に係る透光ブロックを建造物における区画壁に使用した例を示す一部切欠正面図である。
【図７】第３実施形態に係る透光ブロックを建造物における区画壁に使用した例を示す一部切欠正面図である。
【符号の説明】
Ａ．．．．．．．．透光ブロック
１．．．．．．．．第１枠体
１ａ．．．．．．．基部
１ｂ．．．．．．．凸部
２．．．．．．．．第２枠体
３．．．．．．．．透光部材
４．．．．．．．．採光部
５．．．．．．．．採光部
６．．．．．．．．（透光部材の）保持部
７．．．．．．．．嵌め合い部
８．．．．．．．．レンガ
９．．．．．．．．陶板
【図１】
0003576920.tif 000002
【図２】
0003576920.tif 000003
【図３】
0003576920.tif 000004
【図４】
0003576920.tif 000005
【図５】
0003576920.tif 000006
【図６】
0003576920.tif 000007
【図７】
0003576920.tif 000008